(57)【要約】【課題】本発明は、置き台と、置き台に載置された状態で置き台側を向く位置に配置された表示部を有する携帯電子機器と、を有する画像表示システムであって、携帯電子機器が置き台に載置された状態で表示部に表示された画像を外部から視認可能に表示させる画像表示システムを提供することを目的とする。【解決手段】画像表示システムＳは、載置部３１０を有する置き台３００と、載置部３１０に載置された状態で置き台３００側を向く位置に配置されるサブ表示部３２を有する携帯電話機１とを備える。置き台３００には、サブ表示部３２の表示画像を反射させるミラー部３２０が配置される。携帯電話機１には、載置検知部２２０と、載置検知部２２０により載置部３１０に載置されたことが検知された場合、サブ表示部３２の表示画像を上下及び／又は左右を反転してサブ表示部３２に表示させる表示制御部２３０とが配置される。【選択図】図１
2010109514.tif 000002
【特許請求の範囲】
【請求項１】
携帯電子機器が載置される載置部を有する置き台と、
前記載置部に載置された状態で前記置き台側を向く位置に配置される表示部を有する携帯電子機器と、を備え、
前記置き台には、
前記携帯電子機器が前記載置部に載置された場合、前記表示部に表示された表示画像を外部から視認可能となるよう前記表示画像を反射させるミラー部が配置され、
前記携帯電子機器には、
該携帯電子機器が前記載置部に載置されたことを検知する載置検知部と、
前記載置検知部により該携帯電子機器が前記載置部に載置されたことが検知された場合、前記表示部に表示された表示画像を上下及び／又は左右を反転して前記表示部に表示させる表示制御部と、が配置される
画像表示システム。
【請求項２】
携帯電子機器が載置される載置部と、ミラー部と、を有する置き台に載置される携帯電子機器であって、
前記載置部に載置された状態で前記置き台側を向く位置に配置され、前記ミラー部に反射されて外部から視認可能となる表示画像を表示する表示部と、
該携帯電子機器が前記載置部に載置されたことを検知する載置検知部と、
前記載置検知部により該携帯電子機器が前記載置部に載置されたことが検知された場合、前記表示部に表示された表示画像を上下及び／又は左右を反転して前記表示部に表示させる表示制御部と、が配置される
携帯電子機器。
【請求項３】
該携帯電子機器における傾きを検知可能な傾き検知部を更に備え、
前記載置検知部は、前記傾き検知部により検知された傾きにより該携帯電子機器が前記載置部に載置されたことを検知する
請求項２に記載の携帯電子機器。
【請求項４】
該携帯電子機器が前記載置部に載置された状態で前記置き台側を向く位置に配置され、光の照度を検知可能な照度検知部を更に備え、
前記載置検知部は、前記照度検知部により検知された照度により該携帯電子機器が前記載置部に載置されたことを検知する
請求項２又は３に記載の携帯電子機器。
【請求項５】
前記表示制御部は、前記表示部における発光を制御可能であり、
前記照度検知部は、前記表示部からの光の照度を検知する
請求項４に記載の携帯電子機器。
【請求項６】
該携帯電子機器が前記載置部に載置された状態で前記置き台側に向かって光を発する発光部と、
前記発光部における発光を制御可能な発光制御部と、を備え、
前記照度検知部は、前記発光部から光の照度を検知する
請求項４又は５に記載の携帯電子機器。
【請求項７】
前記照度検知部は、該携帯電子機器が前記載置部に載置された状態で前記置き台側からの光を受ける照度センサ又は撮像部材である
請求項４から６のいずれかに記載の携帯電子機器。
【請求項８】
前記ミラー部が前記載置部の上面に配置された第１ミラー部材により構成されている場合、
前記表示制御部は、前記表示画像を上下又は左右を反転して前記表示部に表示させる
請求項２から７のいずれかに記載の携帯電子機器。
【請求項９】
前記ミラー部が前記載置部の上面に配置される第１ミラー部材と、前記置き台における外縁側に前記上面が延びる方向に交差する方向に突出する壁部における前記載置部側に配置される第２ミラー部材と、により構成されている場合、
前記表示制御部は、前記表示画像を上下及び左右を反転して前記表示部に表示させる
請求項２から７のいずれかに記載の携帯電子機器。
【請求項１０】
前記ミラー部は、１又は複数のミラー部材により構成され、
前記１又は複数のミラー部材における所定のミラー部材は、表面が凸状になるよう構成され、
前記１又は複数のミラー部材における前記表示画像が反射される光路の最も下流に配置されるミラー部材に表示される画像は、前記表示部に表示された前記表示画像よりも拡大された画像である
請求項２から９のいずれかに記載の携帯電子機器。
【請求項１１】
携帯電子機器が載置される載置部を有する置き台と、
前記載置部に載置された状態で前記置き台側を向く位置に配置される表示部と、所定の信号を出力する出力部と、を有する携帯電子機器と、を備え、
前記携帯電子機器には、
該携帯電子機器が前記載置部に載置されたことを検知する載置検知部と、
前記載置検知部により該携帯電子機器が前記載置部に載置されたことが検知された場合、前記表示部に表示させる表示画像の画像信号を該携帯電子機器の外部に送信する画像信号送信部と、が配置され、
前記置き台には、
前記携帯電子機器から出力された前記画像信号を受信する画像信号受信部と、
前記画像信号受信部により受信した前記画像信号に基づいて前記表示画像と同じ内容の画像を表示可能な置き台側表示部と、が配置される
画像表示システム。
【発明の詳細な説明】
【技術分野】
【０００１】
本発明は、携帯電話機等の携帯電子機器及び、携帯電子機器を含む画像表示システムに関する。
【背景技術】
【０００２】
従来、携帯電子機器としての携帯電話機は、所定の画像や文章を表示させる表示部を有する。表示部は、携帯電話機における使用状態、例えば、開状態においてユーザが視認できる位置に配置される。ユーザは、携帯電話機を開いた状態で表示部に表示された写真やＷｅｂサイトを閲覧する。
【０００３】
ここで、携帯電話機において、上述の表示部をメイン表示部として、他にサブ表示部を備えるものが増えてきている。
例えば、メイン表示部が外部から視認できない閉状態において、外部に露出され視認可能な位置に配置されるサブ表示部を備える携帯電子機器が提案されている（例えば、特許文献１参照）。
【０００４】
ここで、携帯電話機に収容されるバッテリに電力を充電する場合、携帯電話機は、充電機能を有する置き台に載置される。サブ表示部は、通常、置き台に載置された状態で外部に露出されるよう携帯電話機に配置される。具体的には、サブ表示部は、携帯電話機が置き台に載置された状態で、上面側に位置するよう携帯電話機に配置される。
【特許文献１】特開２００８−１３６０４６号公報
【発明の開示】
【発明が解決しようとする課題】
【０００５】
しかし、デザイン上の要請から、置き台に載置された状態で載置部側を向き外部から視認できない位置にサブ表示部が配置された携帯電話機が提供されている。
このような携帯電話機の場合、置き台に載置された状態において、サブ表示部に表示された時刻や画像等は外部から視認できないという問題があった。
【０００６】
本発明は、置き台に載置された状態で置き台側を向く位置に配置された表示部を有する携帯電子機器であって、表示部に表示された画像を反射させて外部から視認可能とするため置き台に配置されたミラー部の構成に対応して表示部に表示される画像を上下及び／又は左右を反転可能な携帯電子機器を提供することを目的とする。
また、本発明は、置き台と、置き台に載置された状態で置き台側を向く位置に配置された表示部を有する携帯電子機器と、を有する画像表示システムであって、携帯電子機器が置き台に載置された状態で表示部に表示された画像を外部から視認可能に表示させる画像表示システムを提供することを目的とする。
【課題を解決するための手段】
【０００７】
本発明は、携帯電子機器が載置される載置部を有する置き台と、前記載置部に載置された状態で前記置き台側を向く位置に配置される表示部を有する携帯電子機器と、を備え、前記置き台には、前記携帯電子機器が前記載置部に載置された場合、前記表示部に表示された表示画像を外部から視認可能となるよう前記表示画像を反射させるミラー部が配置され、前記携帯電子機器には、該携帯電子機器が前記載置部に載置されたことを検知する載置検知部と、前記載置検知部により該携帯電子機器が前記載置部に載置されたことが検知された場合、前記表示部に表示された表示画像を上下及び／又は左右を反転して前記表示部に表示させる表示制御部と、が配置される画像表示システムに関する。
【０００８】
本発明は、携帯電子機器が載置される載置部と、ミラー部と、を有する置き台に載置される携帯電子機器であって、前記載置部に載置された状態で前記置き台側を向く位置に配置され、前記ミラー部に反射されて外部から視認可能となる表示画像を表示する表示部と、該携帯電子機器が前記載置部に載置されたことを検知する載置検知部と、前記載置検知部により該携帯電子機器が前記載置部に載置されたことが検知された場合、前記表示部に表示された表示画像を上下及び／又は左右を反転して前記表示部に表示させる表示制御部と、が配置される携帯電子機器に関する。
【０００９】
また、該携帯電子機器における傾きを検知可能な傾き検知部を更に備え、前記載置検知部は、前記傾き検知部により検知された傾きにより該携帯電子機器が前記載置部に載置されたことを検知することが好ましい。
【００１０】
また、該携帯電子機器が前記載置部に載置された状態で前記置き台側を向く位置に配置され、光の照度を検知可能な照度検知部を更に備え、前記載置検知部は、前記照度検知部により検知された照度により該携帯電子機器が前記載置部に載置されたことを検知することが好ましい。
【００１１】
また、前記表示制御部は、前記表示部における発光を制御可能であり、前記照度検知部は、前記表示部からの光の照度を検知することが好ましい。
【００１２】
また、該携帯電子機器が前記載置部に載置された状態で前記置き台側に向かって光を発する発光部と、前記発光部における発光を制御可能な発光制御部と、を備え、前記照度検知部は、前記発光部から光の照度を検知することが好ましい。
【００１３】
また、前記照度検知部は、該携帯電子機器が前記載置部に載置された状態で前記置き台側からの光を受ける照度センサ又は撮像部材であることが好ましい。
【００１４】
また、前記ミラー部が前記載置部の上面に配置された第１ミラー部材により構成されている場合、前記表示制御部は、前記表示画像を上下又は左右を反転して前記表示部に表示させることが好ましい。
【００１５】
また、前記ミラー部が前記載置部の上面に配置される第１ミラー部材と、前記置き台における外縁側に前記上面が延びる方向に交差する方向に突出する壁部における前記載置部側に配置される第２ミラー部材と、により構成されている場合、前記表示制御部は、前記表示画像を上下及び左右を反転して前記表示部に表示させることが好ましい。
【００１６】
また、前記ミラー部は、１又は複数のミラー部材により構成され、前記１又は複数のミラー部材における所定のミラー部材は、表面が凸状になるよう構成され、前記１又は複数のミラー部材における前記表示画像が反射される光路の最も下流に配置されるミラー部材に表示される画像は、前記表示部に表示された前記表示画像よりも拡大された画像であることが好ましい。
【００１７】
本発明は、携帯電子機器が載置される載置部を有する置き台と、前記載置部に載置された状態で前記置き台側を向く位置に配置される表示部と、所定の信号を出力する出力部と、を有する携帯電子機器と、を備え、前記携帯電子機器には、該携帯電子機器が前記載置部に載置されたことを検知する載置検知部と、前記載置検知部により該携帯電子機器が前記載置部に載置されたことが検知された場合、前記表示部に表示させる表示画像の画像信号を該携帯電子機器の外部に送信する画像信号送信部と、が配置され、前記置き台には、前記携帯電子機器から出力された前記画像信号を受信する画像信号受信部と、前記画像信号受信部により受信した前記画像信号に基づいて前記表示画像と同じ内容の画像を表示可能な置き台側表示部と、が配置される画像表示システムに関する。
【発明の効果】
【００１８】
本発明によれば、置き台に載置された状態で置き台側を向く位置に配置された表示部を有する携帯電子機器であって、表示部に表示された画像を反射させて外部から視認可能とするため置き台に配置されたミラー部の構成に対応して表示部に表示される画像を上下及び／又は左右を反転可能な携帯電子機器を提供することができる。
また、本発明によれば、置き台と、置き台に載置された状態で置き台側を向く位置に配置された表示部を有する携帯電子機器と、を有する画像表示システムであって、携帯電子機器が置き台に載置された状態で表示部に表示された画像を外部から視認可能に表示させる画像表示システムを提供することができる。
【発明を実施するための最良の形態】
【００１９】
以下、図面を参照して本発明を実施するための最良の形態を説明する。
図１により画像表示システムＳについて説明する。
図１は、画像表示システムＳを示す斜視図である。
【００２０】
図１に示すように、画像表示システムＳは、置き台３００と、置き台３００に載置される携帯電話機１とを備える。
携帯電話機１は、閉状態に変形された状態で置き台３００の図１における上面側に形成された載置部３１０に載置される。携帯電話機１は、置き台３００に載置された状態で充電される。
【００２１】
携帯電話機１は、後述する表示部としてのサブ表示部３２が載置部３１０側を向いた状態で置き台３００に載置される。携帯電話機１が置き台３００に載置された状態において、サブ表示部３２は、外部から視認できない位置に配置される。言い換えると、携帯電話機１が置き台３００に載置された状態において、サブ表示部３２に表示された時刻等の画像は、外部から視認できない。
【００２２】
置き台３００は、第１ミラー３２１と第２ミラー３２２とを有するミラー部３２０を備える。ミラー部３２０により表示画像が反射され、載置部３１０側を向いて配置されたサブ表示部３２に表示された画像（表示画像）は、外部から視認できるようになる。
【００２３】
画像表示システムＳは、置き台３００に載置された状態で外部から視認できないサブ表示部３２の画像を、置き台３００に形成されたミラー部３２０を介して外部から視認可能とすることができる。
以下、画像表示システムＳを構成する置き台３００及び携帯電話機１について詳述する。
【００２４】
図２により、置き台３００について説明する。
図２は、置き台３００の斜視図である。
図２に示すように、置き台３００は、本体部３０５と、第１壁部３０６と、本体部３０５の図２における上面側に形成される載置部３１０と、ミラー部３２０と、載置部３１０に配置される光反射部３３０と、端子３４１及び端子３４２を有する充電端子３４０と、不図示の外部電源に接続されるコード部３９０と、を備える。
【００２５】
本体部３０５は、携帯電話機１が載置される載置部３１０を有する部分である。
第１壁部３０６は、本体部３０５における外縁に該本体部３０５に略直交する方向（垂直方向）に延びるように形成される部分である。
【００２６】
載置部３１０は、本体部３０５の上面に水平方向へ広がる平面状の部分である。載置部３１０には、携帯電話機１が載置される。載置部３１０には、サブ表示部３２が載置部３１０側を向いた状態で携帯電話機１が載置される。
載置部３１０には、ミラー部３２０を構成する第１ミラー３２１と、光反射部３３０と、充電端子３４０が配置される。
【００２７】
ミラー部３２０は、サブ表示部３２に表示された表示画像を１次反射させる第１ミラー３２１と、第１ミラー３２１により反射された画像を外部から視認可能に２次反射させる第２ミラー３２２とを備える。ミラー部３２０は、外部から視認できないサブ表示部３２に表示された画像を反射させ外部から視認できるようにする。
【００２８】
第１ミラー３２１は、一部が載置部３１０に配置される平板状のミラーである。第１ミラー３２１は、携帯電話機１が載置部３１０に載置された状態におけるサブ表示部３２に全部又は一部が対向して配置される。
【００２９】
第２ミラー３２２は、第１壁部３０６における載置部３１０側に配置される平板状のミラーである。第２ミラー３２２は、第１ミラー３２１と所定の角度で対向して配置される。第２ミラー３２２は、載置部３１０に携帯電話機１が載置された状態において、外部に露出する位置に配置される。第２ミラー３２２は、載置部３１０に携帯電話機１が載置された状態において、外部から視認可能な位置に配置される。
【００３０】
光反射部３３０は、載置部３１０に携帯電話機１が載置された状態において、後述する発光部２３ｂ及び光センサ２４に対向して配置される。光反射部３３０は、発光部２３ｂからの光を光センサ２４に入光するよう反射させる。
【００３１】
次いで、図３から図９により、携帯電話機１について説明する。
まず、図３から図５により、携帯電話機１における構造について説明する。
図３は、開状態における携帯電話機１の斜視図である。図４は、閉状態における携帯電話機１の斜視図である。図５は、図４と反対側から見た閉状態における携帯電話機１の斜視図である。
【００３２】
図３から図５に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００３３】
図３に示すように、操作部側筐体２は、外面がフロントケース２ａとリアケース２ｂとにより構成される。操作部側筐体２は、フロントケース２ａ側に、操作キー群１１と、携帯電話機１の使用者が通話時に発した音声が入力される音声入力部１２とがそれぞれ露出するように構成される。また、図５に示すように、操作部側筐体２は、リアケース２ｂ側に、カメラ部２３ａと、照度センサとしての光センサ２４と、赤外線通信部２６（側面に配置）と、サブ表示部３２と、を備える。
【００３４】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００３５】
音声入力部１２は、操作部側筐体２の長手方向における連結部４側と反対の外端部側に配置される。つまり、音声入力部１２は、携帯電話機１が開状態において一方の外端部側に配置される。
【００３６】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００３７】
カメラユニット２３は、カメラ部２３ａと、発光部２３ｂとを備える。カメラユニット２３は、操作部側筐体２における操作キー群１１と反対側に配置される。カメラユニット２３は、携帯電話機１が置き台３００に載置された状態で、載置部３１０側を向いて配置される。具体的には、カメラユニット２３は、携帯電話機１が置き台３００に載置された状態で、光反射部３３０に対向して配置される。
【００３８】
カメラ部２３ａは、発光部２３ｂと携帯電話機１における幅方向に並んで配置される。カメラ部２３ａは、光センサ２４と近接して配置される。
カメラ部２３ａは、被写体を画像として取り込む撮像部材としてのＣＣＤ１２４とを備える。ＣＣＤ１２４は、照度を検知することも可能である。
【００３９】
発光部２３ｂは、カメラ部２３ａと携帯電話機１における幅方向に並んで配置される。発光部２３ｂは、携帯電話機１が置き台３００に載置された状態において、置き台３００側に向かって光を発する。発光部２３ｂは、後述する発光制御部２１０により、所定のタイミングで発光するよう制御される。発光部２３ｂは、被写体を撮像するタイミングで発光するよう制御される。また、発光部２３ｂは、携帯電話機１が置き台３００に載置された可能性がある状態になった場合、所定パターンで発光するよう制御される。
【００４０】
光センサ２４は、入光した光により照度を検知する。光センサ２４は、カメラユニット２３による被写体の撮像時における照度を検知することができる。
光センサ２４は、操作部側筐体２における操作キー群１１と反対側に配置される。光センサ２４は、携帯電話機１が置き台３００に載置された状態で、載置部３１０側を向いて配置される。具体的には、光センサ２４は、携帯電話機１が置き台３００に載置された状態で、光反射部３３０に対向して配置される。
【００４１】
携帯電話機１が置き台３００に載置された状態において、光センサ２４には、発光部２３ｂから発光された光であって光反射部３３０に反射された光が入光される。光センサ２４により検知された照度（照度変化）により、後述する載置検知部２２０により携帯電話機１が置き台３００に載置されたことが検知される。
【００４２】
赤外線通信部２６は、操作部側筐体２における連結部４近傍に配置される。赤外線通信部２６は、操作部側筐体２における側面に配置される。赤外線通信部２６は、ＩｒＤＡ（Ｉｎｆｒａｒｅｄ  Ｄａｔａ  Ａｓｓｏｃｉａｔｉｏｎ）規格に対応して構成される。赤外線通信部２６は、外部に所定の信号を出力可能に構成される。赤外線通信部２６は、後述するメモリ４４に保存される情報や、メイン表示部２１やサブ表示部３２に表示される表示画像の情報を外部に出力可能に構成される。
【００４３】
サブ表示部３２は、操作部側筐体２における操作キー群１１と反対側に配置される。サブ表示部３２は、携帯電話機１が置き台３００に載置された状態で、載置部３１０側を向いて配置される。具体的には、サブ表示部３２は、携帯電話機１が置き台３００に載置された状態で、第１ミラー３２１に対向して配置される。
【００４４】
サブ表示部３２には、所定の画像が表示される。サブ表示部３２には、例えば、時刻情報や、メイン表示部２１に表示される画像の一部を表示させることができる。
携帯電話機１が置き台３００に載置された状態において、サブ表示部３２に表示される表示画像は、後述する表示制御部２３０により上下及び／又は左右反転して表示される。
【００４５】
表示部側筐体３は、外面がフロントケース３ａと、リアケース３ｂとにより構成される。表示部側筐体３には、各種情報を表示するためのメイン表示部２１と、通話の相手側の音声を出力する音声出力部２２と、が露出するように配置される。
メイン表示部２１及び上述のサブ表示部３２は、液晶パネルと、液晶パネルを駆動する駆動回路と、液晶パネルの背面側から光を照射するバックライト等の光源部とを有して構成される。
【００４６】
次いで、操作部側筐体２及び表示部側筐体３の内部構造について説明する。
操作部側筐体２は、フロントケースと、キー構造部と、キー基板と、ケース体と、基準電位パターン層及び携帯電話機用のＲＦ（Ｒａｄｉｏ  Ｆｒｅｑｕｅｎｃｙ）モジュール等の各種電子部品を備える回路基板と、アンテナ部と、バッテリリッドを備えたリアケースと、バッテリとを備える。
【００４７】
フロントケースとリアケースとは、互いの凹状の内側面が向き合うように配置され、互いの外周縁が重なり合うようにして結合される。また、フロントケースとリアケースとの間には、キー構造部と、キー基板と、ケース体と、回路基板と、アンテナ部が挟まれるようにして内蔵される。
【００４８】
フロントケースには、携帯電話機１を折り畳んだ状態で表示部側筐体３のメイン表示部２１と対向する内側面に、キー孔が形成される。キー孔それぞれからは、機能設定操作キー１３を構成する機能設定操作キー部材の押圧面、入力操作キー１４を構成する入力操作キー部材の押圧面、及び決定操作キー１５を構成する決定操作キー部材の押圧面が露出される。この露出した機能設定操作キー部材、入力操作キー部材及び決定操作キー部材の押圧面を押し下げるように押圧することで、対応するキースイッチそれぞれに設けられる後述のメタルドーム（椀状形状）の頂点が押圧され、スイッチ端子に接触して電気的に導通する。
【００４９】
キー構造部は、操作部材と、補強部材としてのキーフレームと、シート部材としてのキーシートと、により構成される。
【００５０】
操作部材は、複数のキー操作部材により構成される。具体的には、機能設定操作キー部材と、入力操作キー部材と、決定操作キー部材とにより構成される。操作部材を構成する各操作キー部材それぞれは、後述するキーフレームを挟んでキーシートに接着される。キーシートに接着された各操作キー部材それぞれにおける押圧面は、上述の通り、キー孔それぞれから外部に露出して配置される。
【００５１】
キーフレームは、孔部が複数形成された金属性の板状部材である。キーフレームは、入力操作キー部材の押圧による回路基板等への悪影響を防ぐための補強部材である。また、キーフレームは導電性の部材であり、入力操作キー部材における静電気を逃がすための部材としても機能する。キーフレームに形成される複数の孔部には、後述するキーシートに形成される凸部が嵌合するように配置される。そして、この凸部に入力操作キー部材が接着される。
【００５２】
キーシートは、可撓性を有するシリコンゴム製のシート状部材である。キーシートには、上述の通り、複数の凸部が形成される。複数の凸部は、キーシートにおけるキーフレームが配置される側の面に形成される。この複数の凸部それぞれは、後述するキースイッチに対応する位置に形成される。
【００５３】
キー基板は、キーシート側に配置される複数のキースイッチを有する。複数のキースイッチそれぞれは、各操作部材に対応する位置に配置される。キー基板に配置されるキースイッチは、椀状に湾曲して立体的に形成された金属板のメタルドームを有する構造になっている。メタルドームは、その椀状形状の頂点が押圧されると、キー基板の表面に印刷された電気回路（図示せず）に形成されるスイッチ端子に接触して電気的に導通するように構成される。なお、キー基板は、複数の絶縁層（絶縁フィルム）の間に配線を挟み込んだものである。
【００５４】
キー基板がケース体における平板部に載置されるので、操作部材それぞれが押圧されることによる圧力や撓みは、ケース体の下方に配置される回路基板に伝達されにくい。
【００５５】
ケース体は、薄型の直方体における一の広い面が開口した形状を有する導電性の部材である。ケース体は、平板部における開口側の面に略垂直に形成されるリブを有する。リブは、回路基板に実装される各種電子部品のうち最も高さのある電子部品の高さと同等又はそれよりも十分に高くなるよう形成される。リブは、平板部の周縁及び内側に基準電位部を構成する基準電位パターン層に対応するように形成される。具体的には、ケース体が回路基板に載置された状態で、基準電位パターン層上に配置されるようにリブが形成される。なお、ケース体は、金属により形成するほか、骨格を樹脂により形成し、その表面に導体膜を形成したものでもよい。
【００５６】
ケース体は、リブの底面が基準電位パターン層に当接されることで、該基準電位パターン層と電気的に接続される。ケース体は、基準電位パターン層と電気的に導通して該基準電位パターン層と同じ大きさの電位を有するようになる。つまり、ケース体は、シールドケースとして機能する。ケース体は、シールドケースとして外部からの高周波等のノイズが回路基板に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナ部に接続される受信回路等に作用することを抑制する。具体的には、ケース体におけるリブの底面が基準電位パターン層上に配置されることで、後述する各回路はリブにより囲われると共に平板部の一部により覆われる。リブは、各回路における隔壁として機能し、平板部の一部と共に各回路をシールドする。
【００５７】
回路基板には、アンテナ部が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００５８】
回路基板におけるケース体側の第１面には、上述の各種電子部品のほか、基準電位部を構成する基準電位パターン層が形成される。基準電位パターン層は、上述の各回路ブロックを区画するように形成される。基準電位パターン層は、回路基板の第１面の表面に導電性の部材を所定パターンで印刷することで形成される。
【００５９】
アンテナ部は、基台上に所定形状のアンテナエレメントが配置されることにより構成さる。アンテナ部は、携帯電話機１における連結部４側と反対の端部側に配置される。このアンテナ部のアンテナエレメントは、帯状の板金により形成される。また、アンテナ部は、不図示の給電端子を介して回路基板から給電される。これにより、アンテナエレメントは、給電端子を介して回路基板から給電されると共に、回路基板のＲＦモジュール等と接続される。
【００６０】
表示部側筐体３は、フロントケース３ａと、リアケース３ｂと、音声出力部２２と、メイン表示部２１と、メイン表示部２１が接続されたプリント基板と、を備える。
【００６１】
表示部側筐体３は、フロントケース３ａと、メイン表示部２１と、プリント基板と、リアケース３ｂとがそれぞれが積層的に配置される。具体的には、フロントケース３ａとリアケース３ｂとは、互いの凹状の内側面が向き合うように配置され、互いの外周縁が重なり合うようにして結合される。
【００６２】
そして、フロントケース３ａとリアケース３ｂとの間には、メイン表示部２１が接続されたプリント基板が挟まれるようにして内蔵される。プリント基板には、不図示のアンプに接続されるスピーカが接続される。
【００６３】
続けて、図６により、携帯電話機１の回路構成について説明する。
図６は、携帯電話機１における回路構成を説明する図である。
図６に示すように、操作部側筐体２に配置される操作部１０１と、音声入力部１２と、アンテナ部４０と、ＲＦ回路部４１と、第１ＬＣＤ制御部４２と、音声処理部４３と、メモリ４４と、ＣＰＵ４５と、カメラユニット２３と、サブ表示部３２と、第２ＬＣＤ制御部３３と、ドライバＩＣ３４と、光センサ２４と、赤外線通信部２６と、電源部４６と、制御ＩＣ４７と、表示部側筐体３に配置されるメイン表示部２１と、音声出力部２２と、ドライバＩＣ２５とを備える。
【００６４】
アンテナ部４０は、所定の使用周波数帯（例えば、８００ＭＨｚ）で外部装置と通信を行う。また、アンテナ部４０は、所定の使用周波数帯の他に、他の使用周波数帯（例えば、２ＧＨｚ）に対応できるいわゆるデュアルバンド対応型による構成であってもよい。
【００６５】
ＲＦ回路部４１は、アンテナ部４０によって受信した信号を復調処理し、処理後の信号をＣＰＵ４５に供給すると共に、ＣＰＵ４５から供給された信号を変調処理し、アンテナ部４０を介して外部装置（基地局）に送信するよう構成される。
【００６６】
ＣＰＵ４５は、携帯電話機１の全体を制御する。また、ＣＰＵ４５は、後述する機能部としての発光制御部２１０と、載置検知部２２０と、表示制御部２３０と、有する。
【００６７】
第１ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、第１ＬＣＤ制御部４２から入力された画像データをフレームメモリに蓄えると共に、該フレームメモリに蓄えられた画像データを所定のタイミングでメイン表示部２１に出力する。メイン表示部２１は、ドライバＩＣ２５から入力された画像データに基づいて、所定の画像を表示する。
【００６８】
メモリ４４には、所定のデータが格納されている。具体的には、メモリ４４には、各種機能プログラムや通信時に利用されるアドレス情報等が記憶される。また、メモリ４４には、各種置き台（ミラー部の構成）に応じた表示画像反転情報が記憶される。
【００６９】
音声処理部４３は、ＣＰＵ４５の制御にしたがって、ＲＦ回路部４１から供給された信号に対して所定の音声処理を行うと共に、音声処理された信号を音声出力部２２に出力する。音声出力部２２は、音声処理部４３から供給された信号に基づいて外部に放音（出力）する。また、音声処理部４３は、ＣＰＵ４５の制御にしたがって、音声入力部１２から入力された信号に対して所定の処理をすると共に、処理された信号をＲＦ回路部４１に出力する。ＲＦ回路部４１は、音声処理部４３から入力された信号に所定の処理を行うと共に、処理がされた信号をアンテナ部４０に出力する。
【００７０】
電源部４６は、バッテリを有して構成される。バッテリは、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００７１】
カメラユニット２３は、上述の通り、カメラ部２３ａと、発光部２３ｂとを備える。
カメラ部２３ａは、ＣＣＤ（Ｃｈａｒｇｅ  Ｃｏｕｐｌｅｄ  Ｄｅｖｉｃｅ）デバイスにより構成されるＣＣＤ１２４と、有する。
ＣＣＤ１２４は、不図示のレンズにより結像された被写体の画像を画像情報として取り込む。ＣＣＤ１２４により撮像された画像は、メイン表示部２１やサブ表示部３２に表示させることが可能である。また、ＣＣＤ１２４により撮像された画像の画像情報は、メモリ４４に保存可能である。
【００７２】
ＣＣＤ１２４には、レンズを介して外部からの光が導かれる。ＣＣＤ１２４は、カメラ部２３ａを介して導かれた光に基づいて照度を検知可能である。つまり、ＣＣＤ１２４は、後述する光センサ２４の代替としても利用可能である。
【００７３】
発光部２３ｂは、所定のタイミングで発光する。発光部２３ｂは、後述する発光制御部２１０により、所定のタイミングで発光するよう制御される。発光部２３ｂは、例えば、被写体を撮像するタイミングで発光するよう制御される。また、発光部２３ｂは、例えば、携帯電話機１が置き台３００に載置された可能性がある状態になった場合、所定パターンで発光するよう制御される。発光部２３ｂは、例えば、光センサ２４により検知される照度が所定以下である場合に、所定パターンで発光するように制御される。
【００７４】
光センサ２４は、該光センサ２４に入光した光により照度を検知する。光センサ２４は、カメラユニット２３による被写体の撮像時における照度を検知することができる。
また、光センサ２４には、携帯電話機１が置き台３００に載置された状態において、発光部２３ｂから所定パターンで発光された光であって光反射部３３０に反射された光が入光される。後述する載置検知部２２０は、光センサ２４が検知した照度（照度変化）に基づいて、携帯電話機１が載置部３１０に載置されていることを検知する。
【００７５】
第２ＬＣＤ制御部３３は、ＣＰＵ４５の制御にしたがって、入力された画像データに対して所定の画像処理を行うと共に、画像処理された画像データをドライバＩＣ３４に出力する。ドライバＩＣ３４は、第２ＬＣＤ制御部３３から入力された画像データをフレームメモリに蓄えると共に、該フレームメモリに蓄えられた画像データを所定のタイミングでサブ表示部３２に出力する。サブ表示部３２は、ドライバＩＣ３４から入力された画像データに基づいて、所定の画像を表示する。
【００７６】
サブ表示部３２には、所定の画像が表示される。サブ表示部３２には、例えば、時刻情報や、メイン表示部２１に表示される画像の一部を表示させることができる。
携帯電話機１が置き台３００に載置された状態において、サブ表示部３２に表示される表示画像は、後述する表示制御部２３０により上下及び／又は左右反転処理される。具体的には、後述の載置検知部２２０により携帯電話機１が置き台３００に載置されたことが検知された場合、サブ表示部３２に表示される表示画像は反転表示される。
【００７７】
続けて、図７及び図８により、携帯電話機１における機能部の構成について説明する。
図７は、携帯電話機１における機能部の構成を説明するブロック図である。図８は、発光部２３ｂが所定パターンで発光した場合の照度値を示すグラフである。
【００７８】
図７に示すように、携帯電話機１は、発光部２３ｂと、光センサ２４と、サブ表示部３２と、機能部としてＣＰＵ４５に含まれる発光制御部２１０と、載置検知部２２０と、表示制御部２３０と、メモリ４４と、を有する。
【００７９】
発光制御部２１０は、携帯電話機１が置き台３００（載置部３１０）に載置された可能性がある状態になった場合、発光部２３ｂに対して所定パターンで発光するよう指示する。発光制御部２１０は、光センサ２４により検出される照度が所定以下となった場合、光センサ２４が載置部３１０側を向いた状態で携帯電話機１が置き台３００に載置された可能性があるとして、発光部２３ｂに所定パターンで発光するよう指示する。
【００８０】
発光制御部２１０は、例えば、図８に示すように、発光部２３ｂを時間Ｔ１から時間Ｔ２まで照度Ａ１で発光させ、時間Ｔ３から時間Ｔ４まで照度Ａ３で発光させ、時間Ｔ５から時間Ｔ６まで照度Ａ２で発光させる。発光部２３ｂが所定パターンで発光した光は、置き台３００における光反射部３３０により反射されて光センサ２４に入光する。
【００８１】
載置検知部２２０は、光センサ２４が検知した照度に基づいて、携帯電話機１が置き台３００（載置部３１０）に載置されたことを検知する。
具体的には、発光部２３ｂから所定パターンで発光された光を受光した光センサ２４が検知した照度に基づいて、携帯電話機１が置き台３００（載置部３１０）に載置されたことを検知する。
【００８２】
詳細には、載置検知部２２０は、光センサ２４が発光部２３ｂにより時間Ｔ１から時間Ｔ２までに発光された光（照度Ａ１）を検知（第１検知Ｘ１）し、時間Ｔ３から時間Ｔ４までに発光された光（照度Ａ３）を検知（第２検知Ｘ２）し、時間Ｔ５から時間Ｔ６までに発光された光（照度Ａ２）を検知した場合、携帯電話機１が置き台３００（載置部３１０）に載置されていることを検知する。ここで、光センサ２４が検知する照度は、発光部２３ｂが発光した光の照度から所定範囲であればよい。また、ここで、照度を変えて発光することで、外光がある場合でも検知を可能とすることができる。また、照度を変えて発光することで、ライトのデザインとしてユーザに与える違和感を抑制することができる。
【００８３】
表示制御部２３０は、サブ表示部３２に表示される表示画像を上下及び／又は左右反転表示するようサブ表示部３２を制御する。
表示制御部２３０は、載置検知部２２０により携帯電話機１が置き台３００（載置部３１０）に載置されたことが検知された場合、置き台３００におけるミラー部３２０の構成に応じて表示画像を上下及び／又は左右反転表示するようサブ表示部３２を制御する。
本実施形態において、表示制御部２３０は、表示画像を左右及び上下反転表示させるようサブ表示部３２を制御する。
【００８４】
ここで、携帯電話機１を載置可能な置き台が複数種類ある場合、各種置き台に配置されたミラー部の構成に対応した反転制御の情報をメモリ４４に記憶させることができる。これにより、表示制御部２３０は、各種置き台に配置されたミラー部の構成に対応して表示画像を反転させるようサブ表示部３２を制御することができる。
【００８５】
続けて、図９により、画像表示システムＳにおける作用について説明する。
図９は、画像表示システムＳにおける作用を説明するフロー図である。
図９に示すように、まず、閉状態に変形した携帯電話機１（図４及び図５参照）を置き台３００における載置部３１０に載置する（ＳＴ１、図１参照）。携帯電話機１が置き台３００に載置された状態において、光センサ２４により検知される照度が所定値以下になる。光センサ２４により検知された照度が所定値以下になることで、発光制御部２１０は、所定パターンで発光するよう発光部２３ｂを制御する。
【００８６】
発光部２３ｂは、発光制御部２１０からの指示に基づいて、所定パターンで発光する（ＳＴ２）。発光部２３ｂは、例えば、図８に示すパターンで発光する。携帯電話機１が置き台３００に載置された状態において、発光部２３ｂから発光された光は、置き台３００に配置される光反射部３３０により光センサ２４に向けて反射される。
【００８７】
光センサ２４が発光部２３ｂにより発光された所定パターンの発光（光）を受光した場合（ＳＴ３、ＹＥＳ）、載置検知部２２０は、携帯電話機１が置き台３００（載置部３１０）に載置されたことを検知する（ＳＴ４）。光センサ２４が発光部２３ｂにより発光された所定パターンの発光（光）を受光しない場合（ＳＴ３、ＮＯ）、載置検知部２２０は、携帯電話機１が置き台３００（載置部３１０）に載置されないとして、サブ表示部３２の表示画像は通常の状態で表示される。
【００８８】
載置検知部２２０により携帯電話機１が置き台３００（載置部３１０）に載置されたことが検知された場合、表示制御部２３０は、サブ表示部３２に表示画像を反転するよう指示する（ＳＴ５）。表示制御部２３０からの反転指示の内容は、置き台３００に配置されるミラー部３２０の位置や枚数に応じて決められる。
【００８９】
サブ表示部３２は、表示制御部２３０からの指示に基づいて、表示画像を上下及び／又は左右を反転して表示させる（ＳＴ６）。外部から視認できない位置に配置されるサブ表示部３２に表示された表示画像は、ミラー部３２０により反射され外部から視認できる状態となる。具体的には、サブ表示部３２に反転表示された表示画像は、第１ミラー３２１と第２ミラー３２２とに反射されることで視認可能な状態となる。サブ表示部３２に表示された表示画像は、第２ミラー３２２において外部から視認可能に表示（反射）される。
【００９０】
本実施形態によれば、置き台３００に載置された状態で置き台３００側を向くサブ表示部３２に表示された表示画像を外部から視認可能とすることができる。本実施形態によれば、携帯電話機１が置き台３００に載置された状態のまま、サブ表示部３２に表示された表示画像を視認することができる。
【００９１】
また、本実施形態によれば、置き台３００においては、表示画像を反射させるミラー部３２０を配置し、携帯電話機１においては、サブ表示部３２に表示される表示画像を反転させることで、サブ表示部３２に表示された表示画像を外部から視認できるようにしている。簡易な構成により、サブ表示部３２に表示された表示画像を外部から視認可能としている。
【００９２】
また、本実施形態によれば、携帯電話機１は、被写体を撮像するためのカメラユニット２３を構成する発光部２３ｂと、撮像時に外部の明るさを検知する光センサ２４とを利用して携帯電話機１が置き台３００に載置されているか検知するよう構成される。携帯電話機１が置き台３００に載置されたことを検知するために他の部材を新たに用いる必要がないため、コスト上昇を抑制することができる。
【００９３】
以上、好適な実施形態について説明したが、本発明は上述した実施形態に限定されることなく種々の形態で実施することができる。例えば、本実施形態において、携帯電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、デジタルカメラ等であってもよい。
【００９４】
また、本実施形態において、第１ミラー３２１及び第２ミラー３２２それぞれは、平板状のミラーであるが、これに限定されず、例えば、一方又は双方が凹状のミラーや凸状のミラーであってもよい。具体的には、図１０に示すように、第２ミラー３２２Ａは、表面が凸状のミラーであってもよい。この場合、サブ表示部３２からの光路における最も下流に配置された第２ミラー３２２Ａに表示される表示画像は、サブ表示部３２に表示された表示画像よりも拡大された画像となる。これにより、外部から視認できる画像が大きくなり、視認性が向上する。ここで、ミラー部が複数のミラーで構成されている場合、いずれのミラーが凸状であってもよい。
【００９５】
また、本実施形態において、発光部２３ｂにおける発光パターンとして図８に示すような発光パターンについて説明しているが、これに限定されない。発光部２３ｂにおける発光パターンとして、例えば、一定の照度での発光を所定回数繰り返すものであってもよい（点灯、消灯を繰り返すことでもよい）。
【００９６】
また、本実施形態において、光を発光する部材として発光部２３ｂについて説明しているが、これに限定されず、例えば、サブ表示部３２を利用してもよい。サブ表示部３２を所定のパターンで発光させることで、上述の発光部２３ｂと同じ機能を奏する。
【００９７】
また、本実施形態において、照度センサとして光センサ２４について説明しているが、これに限定されず、例えば、撮像部材としてのＣＣＤ１２４を照度センサとして利用してもよい。ここで、撮像部材としては、ＣＣＤにより構成されるものに限定されず、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等により構成されるものであってもよい。
【００９８】
また、本実施形態において、載置検知部２２０は、光センサ２４が検知した照度に基づいて携帯電話機１が置き台３００に載置されたことを検知するが、これに限定されない。例えば、携帯電話機１が該携帯電話機１の傾き（姿勢）を検知可能な各種センサにより構成される傾き検知部を有する場合、傾き検知部により検知された傾きに基づいて載置検知部２２０が置き台３００に携帯電話機１が載置されたことを検知するように構成してもよい。
【００９９】
また、本実施形態において、ミラー部３２０が２枚のミラーにより構成された場合について説明しているが、これに限定されず、例えば、ミラー部が３枚以上のミラーにより構成されていてもよく、１枚のミラーにより構成されていてもよい。
例えば、図１１に示すように、置き台３００Ｂは、載置部３１０の上面に配置される第１ミラー３２１Ｂのみを有するように構成されていてもよい。置き台３００に載置された携帯電話機１におけるサブ表示部３２に表示された表示画像は、第１ミラー３２１Ｂに反射されて外部から視認可能な状態となる。この場合、表示制御部２３０は、表示画像を上下又は左右を反転して表示させる。
【０１００】
また、上述の実施形態に示す画像表示システムＳのほか、携帯電話機１が置き台３００に載置された状態でサブ表示部３２に表示された表示画像を外部から視認可能に表示させる画像表示システムとして、例えば、図１２に示す画像表示システムＳＡを例示できる。
図１２により、画像表示システムＳＡについて説明する。
図１２は、画像表示システムＳＡを構成する置き台３００Ｃの斜視図である。
【０１０１】
図１２に示すように、置き台３００Ｃは、本体部３０５と、第１壁部３０６と、第２壁部３０７と、本体部３０５の図１２における上面側に形成される載置部３１０と、端子３４１及び端子３４２を有する充電端子３４０と、第２壁部３０７に配置された置き台側赤外線通信部３５０と、第１壁部３０６に形成される置き台側表示部３６０と、不図示の外部電源に接続されるコード部３９０と、を備える。
【０１０２】
携帯電話機１が置き台３００（載置部３１０）に載置された可能性がある状態になった場合、携帯電話機１における画像信号送信部としての赤外線通信部２６から所定の信号が出力される。携帯電話機１が置き台３００に載置された状態において赤外線通信部２６と対向する位置に配置される画像信号受信部としての置き台側赤外線通信部３５０は、赤外線通信部２６から出力された信号を受信する。
【０１０３】
置き台側赤外線通信部３５０が出力された信号を受信した場合、載置検知部は、携帯電話機１が置き台３００に載置されたことを検知する。載置検知部により携帯電話機１が置き台３００に載置されたことが検知された場合、赤外線通信部２６は、サブ表示部３２に表示される表示画像の画像情報を置き台側赤外線通信部３５０に出力する。
【０１０４】
置き台側表示部３６０は、置き台側赤外線通信部３５０により受信された画像情報に基づいて、サブ表示部３２に表示される表示画像と同じ内容の画像を表示することができる。これにより、外部から視認できない位置に配置されるサブ表示部３２に表示される表示画像を携帯電話機１を置き台３００に載置した状態で外部から視認することができる。また、置き台側表示部３６０のサイズを大きくすることで、サブ表示部３２に表示される表示画像を拡大して表示することができる。ここで、赤外線通信部２６からサブ表示部３２の表示画像とは異なる画像情報を出力することも可能である。
【図面の簡単な説明】
【０１０５】
【図１】画像表示システムＳを示す斜視図である。
【図２】置き台３００の斜視図である。
【図３】開状態における携帯電話機１の斜視図である。
【図４】閉状態における携帯電話機１の斜視図である。
【図５】図４と反対側から見た閉状態における携帯電話機１の斜視図である。
【図６】携帯電話機１における回路構成を説明する図である。
【図７】携帯電話機１における機能部の構成を説明するブロック図である。
【図８】発光部２３ｂが所定パターンで発光した場合の照度値を示すグラフである。
【図９】画像表示システムＳにおける作用を説明するフロー図である。
【図１０】他の実施形態における置き台３００Ａの斜視図である。
【図１１】他の実施形態における置き台３００Ａの斜視図である。
【図１２】画像表示システムＳＡを構成する置き台３００Ｃの斜視図である。
【符号の説明】
【０１０６】
１          携帯電話機
２          操作部側筐体
３          表示部側筐体
２１        メイン表示部
２３ｂ      発光部
２４        光センサ
３２        サブ表示部
４４        メモリ
４５        ＣＰＵ
２１０      発光制御部
２２０      載置検知部
２３０      表示制御部
３００      置き台
３１０      載置部
３２０      ミラー部
３２１      第１ミラー
３２２      第２ミラー
【図１】
2010109514.tif 000003
【図２】
2010109514.tif 000004
【図３】
2010109514.tif 000005
【図４】
2010109514.tif 000006
【図５】
2010109514.tif 000007
【図６】
2010109514.tif 000008
【図７】
2010109514.tif 000009
【図８】
2010109514.tif 000010
【図９】
2010109514.tif 000011
【図１０】
2010109514.tif 000012
【図１１】
2010109514.tif 000013
【図１２】
2010109514.tif 000014